(57)【要約】【課題】メンテナンスが容易で土砂や塵埃等の異物を多く含んだ降雨初期の雨水と、比較的汚れの少ない降雨中期以降の雨水と、を分別可能な雨水配管構造を提供する。【解決手段】雨水導入側と雨水貯留槽側とを繋ぐ雨水配管構造であって、雨水導入口からの雨水を導水する導水管路を介して、前記雨水貯留槽側に取水する取水経路と、雨水配管系外に排出する排水経路とを有し、前記導水管路内の管路底から立設し、その立設面に開口部を形成した立設部を設け、該立設部上の越流経路が前記取水経路と連通し、該開口部が該排水経路と連通すること、を特徴とする。【選択図】図１
2018062815.tif 000002
【特許請求の範囲】
【請求項１】
雨水導入側と雨水貯留槽側とを繋ぐ雨水配管構造であって、
雨水導入口からの雨水を導水する導水管路を介して、前記雨水貯留槽側に取水する取水経路と、雨水配管系外に排出する排水経路とを有し、
前記導水管路内の管路底から立設し、その立設面に開口部を形成した立設部を設け、該立設部上の越流経路が前記取水経路と連通し、該開口部が該排水経路と連通すること、
を特徴とする雨水配管構造。
【請求項２】
前記立設部が略直線の前記導水管路の管路軸に直交して立設すること、
を特徴とする請求項１に記載の雨水配管構造。
【請求項３】
前記開口部が前記立設部の最下端に接して形成されること、
を特徴とする請求項１又は２に記載の雨水配管構造。
【請求項４】
前記取水経路と、前記開口部に連通する前記排水経路と、が離隔して設けられること、
を特徴とする請求項１〜３のいずれかに記載の雨水配管構造。
【請求項５】
前記立設部の立設面積Ａ２が前記導水管路の断面積Ａ１に占める面積比（Ａ２／Ａ１）が０．１〜０．４であること、
を特徴とする請求項１〜４のいずれかに記載の雨水配管構造。
【請求項６】
前記開口部の開口面積Ａ３が前記立設部の前記立設面積Ａ２に占める面積比（Ａ３／Ａ２）が０．０５〜０．２５であること、
を特徴とする請求項１〜５のいずれかに記載の雨水配管構造。
【請求項７】
請求項１〜６のいずれかに記載の雨水配管構造を有すること、
を特徴とする配管連結部材。
【発明の詳細な説明】
【技術分野】
【０００１】
本発明は、建築物の雨水利用設備に接続して雨水を分別する雨水配管構造に関する。
【背景技術】
【０００２】
従来、建築物の屋根等に配設された樋内を流れる雨水を取水して、該雨水を雨水貯留タンク内に貯留する雨水配管構造が種々提案されており、該雨水配管構造を用いることによって、土砂や塵埃等を多く含んだ降雨初期の雨水と、比較的汚れの少ない降雨中期以降の雨水と、を分別して、通常であればそのまま排水溝等に導水して排水してしまう降雨中期以降の雨水を貯留し、様々な用途に有効活用することで上水の節約が可能となる。
【０００３】
かかる雨水配管構造として、例えば特許文献１（特開２０１４−１０９１４１号）には、所定の高さに取水用の貯留管路４に連通した越流部３ａと、底部に排水部２ｆ（オリフィス）と、を具備した一時貯留部２を備え、該一時貯留部２で一時的に雨水を貯留して排水部２ｆから異物を含む汚れた雨水を排水しつつ、汚れの少ない雨水を越流部３ａから貯留管路４に導水を可能とする雨水配管構造が開示されている。
【０００４】
また、特許文献２（特開平４−２６５３２９号）には、下水管路１を貫通させる地下分水室２において、降雨初期の雨水を生活汚水の最高水位よりやや高く設けられた低位の堰３から越流させ、雨水滞水管路５に貯水を可能とする雨水配管構造が開示されている。
【先行技術文献】
【特許文献】
【０００５】
【特許文献１】特開２０１４−１０９１４１号公報
【特許文献２】特開平４−２６５３２９号公報
【発明の概要】
【発明が解決しようとする課題】
【０００６】
しかしながら、上記特許文献１の雨水配管構造では、降雨初期の雨水が排水部２ｆから排水される前に降雨中期以降の雨水が一時貯留槽２に流入すると、当該降雨中以降の雨水により降雨初期の雨水が攪拌され、異物を含んだ降雨初期の雨水と、比較的汚れの少ない降雨中期以降の雨水と、が混ざって流出管３に導水され、貯留管路４に貯留されてしまう問題があった。
また、上記特許文献２の雨水配管構造においても、降雨初期の雨水が下水管路１に流入することで水量が増加するが、該水量の増加に伴い、雨水の流速も増加するため水位の上昇は少なく、降雨初期の雨水を好適に低位の堰３から越流させ、貯留することが困難だった。
【０００７】
また、雨水配管構造は、土砂や塵埃等を多く含んだ降雨初期の雨水を分別して排水するものであるため、構造上汚れが溜りやすく、定期的なメンテナンスが必要となるものであるが、該メンテナンスを行うには多くの手間が必要となるという問題があった。
【０００８】
ここで、雨水配管構造を用いた雨水の導水方法に着目すると、降雨初期の雨水と、降雨中期以降の雨水と、の分別を行う構造に問題があり、当該構造では確実かつ効率的な雨水の分別と、簡便なメンテナンスと、を行うことができないことは明らかであって、未だ改善の余地があった。
【０００９】
そこで、本発明は、上記問題に鑑みて、メンテナンスが容易で土砂や塵埃等の異物を多く含んだ降雨初期の雨水と、比較的汚れの少ない降雨中期以降の雨水と、を分別可能な雨水配管構造を提供することを目的とする。
【課題を解決するための手段】
【００１０】
上記の課題を解決すべく、本発明は、
雨水導入側と雨水貯留槽側とを繋ぐ雨水配管構造であって、
雨水導入口からの雨水を導水する導水管路を介して、前記雨水貯留槽側に取水する取水経路と、雨水配管系外に排出する排水経路とを有し、
前記導水管路内の管路底から立設し、その立設面に開口部を形成した立設部を設け、該立設部上の越流経路が前記取水経路と連通し、該開口部が該排水経路と連通すること、
を特徴とする雨水配管構造を提供する
【００１１】
このような構成を有する本発明の雨水配管構造では、排水経路が立設部の開口部と連通して設けられているため、該立設部で堰き止めた降雨初期の雨水を効率的に排水することができる（流水方向と排水方向とが同じ方向であるため、立設部で堰き止めた降雨初期の雨水の滞留を抑制しつつ、降雨初期の雨水を排水することができる）。また、降雨中期以降の雨水により、導水管路の水位が上昇した際には、立設部上の越流経路が取水経路と連通しているため、立設部を越流した降雨中期以降の雨水を取水経路に取水することができる。更に、立設部近傍に異物が集められるため、メンテナンス性にも優れている。
【００１２】
また、上記の本発明の雨水配管構造においては、
前記立設部が略直線の前記導水管路の管路軸に直交して立設することが望ましい。
【００１３】
このような構成を有する本発明の雨水配管構造では、立設部が導水管路の管路軸（導水方向）に直交して立設されているため、効率的に降雨初期の雨水を堰き止め、排水することができる。
【００１４】
また、上記の本発明の雨水配管構造においては、
前記開口部が前記立設部の最下端に接して形成されることが望ましい。
【００１５】
このような構成を有する本発明の雨水配管構造では、開口部が立設部の最下端に接して形成されることで、よりスムーズに降雨初期の雨水を排水することができる。
【００１６】
また、上記の本発明の雨水配管構造においては、
前記取水経路と、前記開口部に連通する前記排水経路と、が離隔して設けられることが望ましい。
【００１７】
このような構成を有する本発明の雨水配管構造では、取水経路と排水経路とが隔離して設けられているため、降雨初期の雨水が取水経路に取水されることを防ぎ、降雨中期以降の雨水を好適に取水することができる。
【００１８】
また、上記の本発明の雨水配管構造においては、
前記立設部の立設面積Ａ２が前記導水管路の断面積Ａ１に占める面積比（Ａ２／Ａ１）が０．１〜０．４であることが望ましい。
【００１９】
このような構成を有する本発明の雨水配管構造では、立設部の立設面積Ａ２が導水管路の断面積Ａ１に占める面積比（Ａ２／Ａ１）を０．１〜０．４の範囲とすれば、立設部により、降雨初期の雨水の堰き止めと、降雨中期以降の雨水の取水と、を行うことができる。
【００２０】
また、上記の本発明の雨水配管構造においては、
前記開口部の開口面積Ａ３が前記立設部の前記立設面積Ａ２に占める面積比（Ａ３／Ａ２）が０．０５〜０．２５であることが望ましい。
【００２１】
このような構成を有する本発明の雨水配管構造では、開口部の開口面積Ａ３が前記立設部の前記立設面積Ａ２に占める面積比（Ａ３／Ａ２）を０．０５〜０．２５の範囲とすれば、効率的に初期雨水を排水することができる。
【００２２】
更に、上記の課題を解決すべく、本発明は、
上記本発明の雨水配管構造を具備すること、
を特徴とする配管連結部材を提供する。
【００２３】
このような構成を有する本発明の配管連結部材では、配管間における連結用部材の形状に構成されていることから、新設及び既設の配管に対して簡便に取り付けることが可能で、上記排水及び取水の機能を新設及び既設の配管に対して容易に付与することができる。
【図面の簡単な説明】
【００２４】
【図１】本実施形態における雨水配管構造１の構造を説明する図であって、図１（ａ）は、本雨水配管構造１を雨水導入口３側から見た斜視図であり、図１（ｂ）は、本雨水配管構造１を取水用導入口７側から見た斜視図であり、図１（ｃ）は、本雨水配管構造１を初期雨水排水口５側から見た斜視図である。
【図２】本実施形態の雨水配管構造１内における雨水の流れ方を説明するものであって、図２（ａ）は、図１（ａ）（ｂ）（ｃ）に示す本管５１を断面視した模式図であり、図２（ｂ）は、本雨水配管構造１を見下げた模式図である。
【図３】本実施形態における雨水配管構造１のその他の形状を説明する図であって、図３（ａ）は、堰格子型雨水配管構造３０１を示す斜視図であり、図３（ｂ）は、小径管内設型雨水配管構造４０１を示す一部切欠斜視図である。
【図４】本実施形態の雨水配管構造１を建物２１３及び雨水利用設備２０１に接続した例を示す模式図である。
【図５】本実施形態における雨水配管構造１の導水管路の断面積Ａ１と、立設部の立設面積Ａ２と、開口部の開口面積Ａ３と、の範囲を説明する図であって、図５（ａ）は、導水管路の断面積Ａ１を示す模式図であり、図５（ｂ）は、立設部の立設面積Ａ２を示す模式図であり、図５（ｃ）は、開口部の開口面積Ａ３を示す模式図である。
【発明を実施するための形態】
【００２５】
以下、本発明に係る雨水配管構造１の代表的な実施形態を、図１〜図５を参照しながら詳細に説明する。但し、本発明は図示されるものに限られるものではなく、各図面は本発明を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００２６】
１．雨水配管構造１の構造
＜概要＞
図１を用いて本実施形態の雨水配管構造１における概要について説明する。図１は、本実施形態おける雨水配管構造１の構造を説明する図であって、図１（ａ）は、本雨水配管構造１を雨水導入口３側から見た斜視図であり、図１（ｂ）は、本雨水配管構造１を取水用導入口７側から見た斜視図であり、図１（ｃ）は、本雨水配管構造１を初期雨水排水口５側から見た斜視図である。
【００２７】
本実施形態の雨水配管構造１は、雨水貯留槽２０３及び電動ポンプ２０５等を含んだ雨水利用設備２０１の一部又は該システムに繋がる雨水配管２０７に組み込んで使用され、土砂や塵埃等を多く含んだ降雨初期の雨水６１と、比較的汚れの少ない降雨中期以降の雨水６３と、の分別を可能にする。本雨水配管構造１は、雨水の出入り口となる３つの開口を有した略Ｔ字型継手の装置であり、内部に降雨初期の雨水６１と、降雨中期以降の雨水６３と、を分別するための機構を備えている。
【００２８】
＜構造の詳細＞
図１（ａ）（ｂ）（ｃ）に示すとおり、本実施形態の雨水配管構造１は、概ね本体を構成する本管５１と、本管５１に対して略垂直に接続された枝管５３と、本管５１における一方の端部に備えられた雨水導入口３と、本管５１における他方の端部に備えられた取水用導水口７と、枝管５３の外側端部に備えられた初期雨水排水口５と、他の雨水配管２０７や雨水利用設備２０１が具備する配管等に接続するための管継手部９と、内部に備えられて降雨初期の雨水６１と降雨中期以降の雨水６３とを分別して導水する経路隔離壁１１と、該経路隔離壁１１を補助して初期雨水排水口５を一部閉鎖する第一遮蔽部１３及び第二遮蔽部１４と、雨水導入口３近傍（導水管路２１）に備えられた立設部１５と、から構成されている。
【００２９】
上述のとおり、本実施形態の雨水配管構造１は、本体が本管５１と枝管５３とで構成される略Ｔ字型の外形を備えた継手であり、汎用の配管継手と同様に一般的な雨水配管に取り付けることができるものである。なお、本管５１及び枝管５３は、該本管５１の側面略中間部に対して枝管５３が略鉛直に連結され、双方の内部が連通している。また、本雨水配管構造１は、塩化ビニル等の熱可塑性樹脂により成型されている。
【００３０】
雨水配管構造１は、本管５１における一方の端部に川上側として雨水を流入させるための雨水導入口３を備え、本管５１における他方の端部に第一の川下側として降雨中期以降の雨水６３を雨水利用設備２０１側（雨水貯留槽２０３側）に導水するための取水用導水口７を備え、枝管５３における外側の端部に第二の川下側として降雨初期の雨水６１を排水するための初期雨水排水口５を備えている。
【００３１】
なお、当該雨水導入口３と、初期雨水排水口５と、取水用導水口７と、には、他の雨水配管２０７や雨水利用設備２０１が具備する配管等に接続するため、所定の直径を有する管継手部９が備わっており、他の雨水配管２０７や雨水利用設備２０１が具備する配管等を内部に挿入して嵌合させることができる。これにより、配管等の接続する際の施工時に特殊な部材や工具を使用せずに行うことができるため、優れた施工性を有する。
【００３２】
本実施形態の雨水配管構造１の内部には、川上側となる雨水導入口３から流入させた雨水を内部に導水するための導水管路２１が備えられている。更に、当該導水管路２１の川下側には、降雨初期の雨水６１と、降雨中期以降の雨水６３と、を分別して導水するため、経路隔離壁１１を配設して排水経路１７と、取水経路２３と、が構成されている。なお、当該取水経路２３は、上流側で、且つ、立設部上方に位置する越流経路１９に接続されている。上記排水経路１７は、雨水導入口３（導水管路２１含む）と、第一の川下側となる初期雨水排水口５と、を繋ぐ排水のための経路であって、越流経路１９は、雨水導入口３（導水管路２１含む）と、第二の川下側となる取水用導水口７（取水経路２３含む）と、を繋ぐ導水のための経路である。
【００３３】
経路隔離壁１１は、本管５１及び枝管５３を略水平にした状態で、当該本管５１及び枝管５３内部における所定の高さに略水平に配設されており、これにより、本管５１及び枝管５３の内部を上下に区画し、上方側に取水経路２３が形成され、下方側に排水経路１７が形成されている。
【００３４】
排水経路１７では、第二遮蔽板１４を用いて取水経路２３側に通じる経路が閉鎖されており、当該排水経路１７を流れる雨水が初期雨水排水口５のみに導水されるよう構成されている。また、取水経路２３では、第一遮蔽板１３を用いて初期雨水排水口５側に通じる経路が閉鎖されており、当該取水経路２３を流れる雨水が取水用導水口７のみに導水されるよう構成されている。
【００３５】
更に、本実施形態における雨水配管構造１の内部には、導水管路２１に立設部１５が備わっており、該立設部１５によって排水経路１７及び越流経路１９を流れる雨水の導水量をコントロールしている。当該立設部１５は、少なくとも１つの開口部１５Ａと閉鎖部１５Ｂとから構成され、図５（ａ）（ｂ）（ｃ）に示す導水管路２１の断面積Ａ１と、立設部１５の立設面積Ａ２と、開口部１５Ａの開口面積Ａ３と、は、導水管路に導水される水量に応じて、それぞれの面積比率から決定することが望ましい。
【００３６】
より具体的には、屋根面積約２００ｍ２の建屋に降雨する雨水が、内径約１００ｍｍの導水管路に導水されることを想定した場合、立設部１５の立設面積Ａ２が導水管路の断面積Ａ１に占める面積比（Ａ２／Ａ１）が０．１〜０．４であれば、立設部１５で降雨初期の雨水６１を堰き止め、かつ、降雨中期以降の雨水６３の取水も妨げられない。また、開口の開口面積Ａ３が立設部１５の立設面積Ａ２に占める面積比（Ａ３／Ａ２）が０．０５〜０．２５であれば効率的に初期雨水を排出することができる。
【００３７】
経路隔離壁１１は、必ずしも水平である必要はないため、立設部１５の上端を傾斜させて対応してもよい。このため、当該立設部１５の開口部１５Ａの下端が、越流経路１９の下端よりも下方に配置されている必要がある。これにより、降雨初期の雨水６１が越流経路１９に流入する前に、立設部１５の開口部１５Ａに雨水が流入して排水されるため、降雨初期の雨水６１が取水経路２３に流入することを好適に抑制することができる。
【００３８】
なお、図１（ａ）及び（ｃ）では、開口部１５Ａを縦長のスリットとして表現しているが、本発明の効果を損なわず雨水を流すことのできる開口部であれば形状はこれに限定されるものではなく、例えば複数の孔を設けて所定の開口面積を備えたものであってもよいし、開口部１５Ａと閉鎖部１５Ｂとを連続して格子状を形成したものであってもよい。開口部１５Ａが複数設けられていれば、当該開口１５Ａに異物が詰まった場合でも排水経路１７が完全に閉鎖されることを抑制することができる。
【００３９】
また、立設部１５が上流側に傾いていれば、該立設部１５によって木の葉等の比較的大きな異物を容易に堰き止めることができ、雨水貯留槽２０３への混入を更に防止することができる。なお、立設部１５から導水管路２１の間に突設部（図示せず）等を設けて異物を堰き止めてもよい。
立設部１５の形状を変更して構成した雨水配管構造１は後述にて詳細に説明する。
【００４０】
更に、立設部１５は完全に固定される必要はなく、任意に取り外し可能とすれば、立設部の立設面積Ａ２が導水管路の断面積Ａ１に占める面積比（Ａ２／Ａ１）と、開口部の開口面積Ａ３が立設部の立設面積Ａ２に占める面積比（Ａ３／Ａ２）と、を任意に変更できるため、取水量及び排水量を調整することができる。
また、当該立設部１５に付着した汚れ等を洗浄して開口面積を維持するためのメンテナンス性も向上させることができる。なお、本管５１又は枝管５３の所定の位置に点検口（図示せず）を設けて、上記立設部１５の交換等のメンテナンスを補助する機構を設けてもよい。
【００４１】
２．雨水配管構造１内における雨水の流れ
次に、図２（ａ）及び（ｂ）を用いて本実施形態の雨水配管構造１内における雨水の流れ方について詳細に説明する。図２（ａ）及び（ｂ）は、本実施形態の雨水配管構造１内における雨水の流れ方を説明するものであって、図２（ａ）は、図１（ａ）（ｂ）（ｃ）に示す本管５１を断面視した模式図であり、図２（ｂ）は、図１に示す雨水配管構造１を上方から略鉛直方向下向きに見下げた場合に見える模式図である。
【００４２】
＜降雨初期の雨水６１＞
本実施形態の雨水配管構造１は、雨水導入口３に対して屋根等の樋から導管した雨水配管２０７を接続し、初期雨水排水口５に排水用配管２０９を接続し、更に取水用導水口７には、雨水利用設備２０１に導水するための雨水利用配管２１１を接続して使用される。降雨が始まると、降雨初期の雨水６１が屋根に当たり、屋根表面及び該屋根に配設された樋等に付着した土砂や塵埃等を含みつつ樋に接続された雨水配管２０７に流れる。
【００４３】
図２（ａ）及び（ｂ）に示すとおり、まず、屋根に配設された樋と接続された雨水配管２０７から降雨初期の雨水６１が雨水導入口３を介して導水管路２１に導水され、本雨水配管構造１内部に侵入し、立設部１５に当たって堰き止められる。上述したとおり、立設部１５には開口部１５Ａが備わっており、当該開口部１５Ａが所定の開口部の開口面積Ａ３を有することから、当該面積に応じた流量で降雨初期の雨水６１が排水経路１７に侵入し、初期雨水排水口５を介して排水用配管２０９に排水される。この時、土砂や塵埃等の微細なものは雨水と同時に開口部１５Ａを通過して排水用配管２０９に流れるが、例えば落ち葉等の比較的大きな異物は閉鎖部１５Ｂで堰き止めることができる。
【００４４】
＜降雨中期以降の雨水６３＞
その後、継続して立設部１５の開口部１５Ａから雨水が排水経路１７に導水されるが、降雨が継続すると次第に雨水配管２０７から本雨水配管構造１内に導水される雨水の流量が当該開口部１５Ａを介して排水経路１７に導水される雨水の流量を上回り、立設部１５に堰き止められた雨水（降雨中期以降の雨水６３）が雨水導入口３から導水管路２１に貯留されて水位が上昇する。更に雨水配管２０７から本雨水配管構造１内に導水される雨水の流入量が増加し、水位が立設部１５の上端に達して越えると、降雨中期以降の雨水６３は越流経路１９に侵入し、取水経路２３を通り、取水用導水口７を介して雨水利用配管２１１に導水される。
【００４５】
上記のとおり、本実施形態の雨水配管構造１を用いることで土砂や塵埃等を含む汚れた降雨初期の雨水６１と、比較的汚れの少ない降雨中期以降の雨水６３と、を分別した導水を達成することができる。
【００４６】
３．雨水配管構造１のその他の形状
次に、図３（ａ）及び（ｂ）を用いて本実施形態における雨水配管構造１のその他の形状（変形例）について説明する。図３（ａ）及び（ｂ）は、本実施形態における雨水配管構造１のその他の形状を説明する図であって、図３（ａ）は、堰格子型雨水配管構造３０１を示す斜視図であり、図３（ｂ）は、小径配管内設型雨水配管構造４０１を示す斜視図である。
【００４７】
＜堰格子型雨水配管構造３０１＞
まず、開口部３１５Ａ及び閉鎖部３１５Ｂを連続して構成した堰３１５を配設して成る堰格子型雨水配管構造３０１（変形例１）を説明する。図３（ａ）に示すとおり、堰格子型雨水配管構造３０１は、２つのスリット状の開口部３１５Ａ及び３つの閉鎖部３１５Ｂによって堰３１５が構成されており、当該開口部３１５Ａと閉鎖部３１５Ｂとは所定の間隔で並べられている。
【００４８】
複数の開口部３１５Ａを並列させることで、当該開口部３１５Ａの開口幅を維持しつつ開口率を上げることが可能であり、土砂や塵埃等の微細な異物と、落ち葉等の比較的大きな異物と、の通止バランスを保つことができる。また、上述のとおり開口部３１５Ａを複数並列させることにより、異物の詰まりで当該開口部３１５Ａが完全に閉鎖されることを好適に抑制することができる。なお、開口部３１５Ａ及び閉鎖部３１５Ｂの数は図３（ａ）に限定されるものではなく、開口部の開口面積Ａ３に応じて増減することが好ましい。
【００４９】
＜小径管内設型雨水配管構造４０１＞
次に、立設部４１５の開口部４１５Ａと、排水用配管２０９と、を直接接続する小径配管４２５を内設して成る小径配管内設型雨水配管構造４０１（変形例２）を説明する。
図３（ｂ）に示すとおり、小径配管内設型雨水配管構造４０１は、立設部４１５に略円形の開口部４１５Ａを設け、該開口部４１５Ａに取水用導水口７側から小径配管４２５の一方の端部を接続し、他方の端部を本管４５１の管壁を貫通させて外部の排水用配管２０９に接続したものである。
なお、小径配管４２５は本管４５１の管路軸と略平行となる配管（開口部４１５Ａ近傍）と、当該本管４５１の管路軸と略交差する配管（本管４５１の管壁貫通部近傍）と、を、上記２つの配管をＬ字型の管継手４２７等を用いて接続されて連通するＬ字状配管と構成されている。
【００５０】
４．接続及び使用例
次に、図４を用いて、建物２１３及び雨水利用設備２０１と本実施形態の雨水配管構造１との接続例と、建物２１３、本雨水配管構造１及び雨水利用設備２０１を含めた全体的な雨水の流れと、について説明する。図４は、本実施形態の雨水配管構造１を建物２１３及び雨水利用設備２０１に接続した例を示す模式図である。
【００５１】
＜建物２１３及び雨水利用設備２０１との接続＞
当該説明では、水洗トイレ２１５を内部に有する一般的な建物２１３に、雨水利用設備２０１と、本実施形態の雨水配管構造１と、を接続したモデルを代表して説明する。建物２１３は、切妻屋根、寄棟屋根、片流れ屋根、又は陸屋根等の一般的な形状の屋根を備え、更に当該屋根は軒樋２１７と、該軒樋２１７で受けた雨水を集めるための集水器２１９と、該集水器２１９から雨水を下方に落とすための竪樋２２１と、を具備したものである。また、雨水利用設備２０１は、比較的汚れの少ない雨水を貯留するための雨水貯留槽２０３と、該雨水貯留槽２０３に貯留した雨水が渇水した場合に自動的に上水を足して補填する渇水防止タンク２０４と、雨水利用設備２０１内の雨水を移送するための電動ポンプ２０５と、を具備したものである。
【００５２】
建物２１３の屋根に雨水を受けるための軒樋２１７が配設され、更に該軒樋２１７の所定の位置に軒樋２１７が受けた雨水を集める集水器２１９が配設される。当該集水器２１９には雨水を下方に落とす竪樋２２１が接続され、集水器２１９から所定の高さまで縦方向に配設されており、下方に延びた端部をＬ字型管継手等（図示せず）を介して略水平に配設した雨水配管２０７に接続されている。
【００５３】
雨水配管２０７の竪樋２２１に接続された端部とは他方の端部に、本実施形態における雨水配管構造１の雨水導入口３を接続し、更に初期雨水排水口５を所定の排水先に繋がる排水用配管２０９に接続し、取水用導水口７は雨水利用配管２１１を介して雨水貯留槽２０３に接続されている。当該雨水貯留槽２０３は、所定の配管を用いて建物２１３内の水洗トイレ２１５に接続し、雨水貯留槽２０３から水洗トイレ２１５の間に渇水防止タンク２０４と、当該雨水貯留槽と渇水防止タンク２０４との間と、当該渇水防止タンク２０４と水洗トイレ２１５との間と、に電動ポンプ２０５を備えて構成される。
【００５４】
＜雨水の流れ＞
建物２１３の屋根に降雨した雨水は、当該屋根の導水経路に従って軒樋２１７に流れ、軒樋２１７に接続された集水器２１９に集水される。更に、集水器２１９から竪樋２２１を介して下方に落下し、雨水配管２０７を通過して本実施形態の雨水配管構造１内に侵入する。本雨水配管構造１内では上述の説明に従って雨水を分別して導水し、降雨初期の雨水６１は初期雨水排水口５を介して排水用配管２０９に導水し、排水される。また、降雨中期以降雨水６３は、取水用導水口７を介して雨水利用配管２１１に導水され、雨水貯留槽２０３内に移動する。雨水貯留槽２０３内に到達した雨水は、一時的に留まって待機状態となり、建物２１３内の水洗トイレ２１５が使用された際に電動ポンプ２０５が動作して水洗トイレ２１５に導水されることになる。
【００５５】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００５６】
本実施形態の雨水配管構造１は、略水平に配設された雨水配管等に接続でき、土砂や塵埃等を多く含んだ降雨初期の雨水と、比較的汚れの少ない降雨中期以降の雨水と、を分別可能で、メンテナンス性も兼ね備えたものである。
【符号の説明】
【００５７】
１        雨水配管構造
３        雨水導入口
５        初期雨水排水口
７        取水用導水口
９        管継手部
１１      経路隔離壁
１３      第一遮蔽部
１４      第二遮蔽部
１５      立設部
１５Ａ    開口部
１５Ｂ    閉鎖部
１７      排水経路
１９      越流経路
２１      導水管路
２３      取水経路
５１      本管
５３      枝管
６１      降雨初期の雨水
６３      降雨中期以降の雨水
２０１    雨水利用設備
２０３    雨水貯留槽
２０４    渇水防止タンク
２０５    電動ポンプ
２０７    雨水配管
２０９    排水用配管
２１１    雨水利用配管
２１３    建物
２１５    水洗トイレ
２１７    軒樋
２１９    集水器
２２１    竪樋
３０１    堰格子型雨水配管構造
３１５    立設部
３１５Ａ  開口部
３１５Ｂ  閉鎖部
４０１    小径配管内設型雨水配管構造
４０３    雨水導入口
４０５    初期雨水排水口
４０７    取水用導水口
４１５    立設部
４１５Ａ  開口部
４１５Ｂ  閉鎖部
４１９    越流経路
４２１    導水管路
４２３    取水経路
４２５    小径配管
４２７    Ｌ字型管継手
４５１    本管
Ａ１      導水管路の断面積
Ａ２      立設部の立設面積
Ａ３      開口部の開口面積
【図１】
2018062815.tif 000003
【図２】
2018062815.tif 000004
【図３】
2018062815.tif 000005
【図４】
2018062815.tif 000006
【図５】
2018062815.tif 000007